(57)【要約】【課題】カバーを着脱する際の回動方向が限定されない、作業性の良い丸座セットの提供。【解決手段】扉３に取り付けられる錠に使用される丸座１と、丸座１に被せるためのカバー２からなる丸座セットである。丸座１は、断面が円形の周面６と、丸座１を扉３に取り付けたときに表側になる表面１０と、丸座１を扉３に取り付けたときに隠れる裏面１３とを備えている。周面６には周方向に等間隔に配された２つ以上の係止部７が設けられ、カバー２にはその内面に突起１４が設けられている。係止部７は突起１４を誘導するための誘導溝８を有している。誘導溝８は、表面１０から裏面１３に向けて延びる第１軸方向溝部１１Ａ及び第２軸方向溝部１１Ｂと、周方向に延びて第１軸方向溝部１１Ａと第２軸方向溝部１１Ｂとを裏面１３側において連通させる周方向溝部１２とを備えている。【選択図】  図１
2016037805.tif 000002
【特許請求の範囲】
【請求項１】
扉に取り付けられる錠に使用される丸座と、該丸座に被せるためのカバーからなる丸座セットであって、
該丸座は、断面が円形の周面と、該丸座を前記扉に取り付けたときに表側になる表面と、該丸座を該扉に取り付けたときに隠れる裏面とを備え、該周面には周方向に等間隔に配された２つ以上の係止部が設けられ、
該カバーにはその内面に突起が設けられ、
該係止部は該突起を誘導するための誘導溝を有する丸座セットにおいて、
該誘導溝は、該表面から該裏面に向けて延びる第１軸方向溝及び第２軸方向溝と、周方向に延びて該第１軸方向溝と該第２軸方向溝とを該裏面側において連通させる周方向溝部とを備えていることを特徴とする丸座セット。
【請求項２】
該係止部は、該裏面側に向かって突出する保持部を備え、該突起は隣接して２つ設けられ、２つの該突起の間に位置した該保持部が２つの該突起を係止することを特徴とする請求項１に記載の丸座セット。
【請求項３】
該係止部は、該誘導溝の底面から径方向に突出する保持部を備え、該保持部が該突起を係止することを特徴とする請求項１に記載の丸座セット。
【発明の詳細な説明】
【技術分野】
【０００１】
本発明は、扉用錠に使用される丸座と該丸座に被せるためのカバーからなる丸座セットに関するものである。
【背景技術】
【０００２】
扉に取り付けられて扉の閉状態を維持し、ハンドル等が操作されると扉を開くことが可能となる錠は、丸座を介してハンドル等が錠本体に取り付けられる。そして、丸座はボルト等により錠本体に固定されるので、ボルト等を隠すためのカバーが丸座に取り付けられ、丸座の外面はカバーにより覆われる。
【０００３】
丸座にカバーを取り付けるにあたり、丸座に誘導溝と保持部を形成し、カバーの内面には突起を設ける構成が知られている（特許文献１、２参照）。この構成によれば、丸座の誘導溝により誘導されたカバーの突起が丸座の保持部で保持されるので、工具を用いずに丸座をカバーに着脱することが可能である。
【０００４】
しかし、丸座にカバーを被せた状態ではカバーを周方向のいずれの方向に回動すべきかが判らず、カバー着脱時の操作性が悪いという問題がある。
【先行技術文献】
【特許文献】
【０００５】
【特許文献１】特許第５０３９６６０号公報
【特許文献２】登録実用新案第３１６２７８３号公報
【発明の概要】
【発明が解決しようとする課題】
【０００６】
それゆえに本発明は上記従来の問題点に鑑みてなされ、カバーの着脱時の作業性を改善した丸座セットを提供することを課題とする。
【課題を解決するための手段】
【０００７】
本発明は、扉３に取り付けられる錠に使用される丸座１と、該丸座１に被せるためのカバー２からなる丸座セットであって、該丸座１は、断面が円形の周面６と、該丸座１を該扉３に取り付けたときに表側になる表面１０と、該丸座１を該扉３に取り付けたときに隠れる裏面１３とを備え、該周面６には周方向に等間隔に配された２つ以上の係止部７が設けられ、該カバー２にはその内面に突起１４が設けられ、該係止部７は該突起１４を誘導するための誘導溝８を有する丸座セットにおいて、該誘導溝８は、該表面１０から該裏面１３に向けて延びる第１軸方向溝部１１Ａ、１１Ｃ及び第２軸方向溝部１１Ｂ、１１Ｄと、該第１軸方向溝部１１Ａ、１１Ｃと第２軸方向溝部１１Ｂ、１１Ｄとを該裏面１３側において連通させる周方向溝部１２、２５とを備えていることを特徴とする。
【０００８】
ここで、該係止部７は、該裏面１３側に向かって突出する保持部９を備え、該突起１４は隣接して２つ設けられており、２つの該突起１４の間に位置した該保持部９が２つの該突起１４を係止することが好ましい。
【０００９】
また、該係止部７は、該誘導溝８の底面から径方向に突出する保持部２４を備え、該保持部２４が該突起１４を係止することが好ましい。
【発明の効果】
【００１０】
本発明によれば、カバーを着脱する際の回動方向が限定されない、作業性の良い丸座セットを提供することができる。
【図面の簡単な説明】
【００１１】
【図１】実施形態１の丸座とカバーが扉に取り付ける前の状態を示す斜視図。
【図２】実施形態１の丸座の裏面図。
【図３】図２の右側面図。
【図４】実施形態１のカバーの裏面図。
【図５】図４のＡ−Ａ矢視断面図。
【図６】実施形態１の丸座にカバーが被せられた状態における係止部の拡大図。
【図７】実施形態２の丸座とカバーが扉に取り付けられる前の状態を示す斜視図。
【図８】実施形態２の丸座の裏面図。
【図９】図８の右側面図。
【図１０】実施形態２のカバーの裏面図。
【図１１】実施形態２の丸座にカバーが被せられた状態における係止部の拡大図。
【発明を実施するための形態】
【００１２】
以下、本発明の実施形態について図面に基づいて説明する。
【００１３】
（実施形態１）
図１〜図６は実施形態１の丸座セットを示す。図１〜図３に示すように、丸座１は、本体４を備えている。本体４は、径に比べて高さが低い円柱状であり、その軸心には角芯を挿通するために断面が円形の孔である挿通孔５が形成されている。本体４の周面６には、１８０度の間隔をあけて２つの係止部７、７が設けられている。係止部７は、誘導溝８と凸部９とにより構成されている。誘導溝８は、丸座１が扉３に取り付けられたときに表側となる表面１０から裏側となる裏面１３に向かって本体４の軸心と平行に延びる第１軸方向溝部１１Ａと第２軸方向溝部１１Ｂとを備えている。第１軸方向溝部１１Ａと第２軸方向溝部１１Ｂとは周方向に離間して設けられている。また、誘導溝８は、第１軸方向溝部１１Ａと第２軸方向溝部１１Ｂとを連通させるように裏側端から周方向に延びた溝である周方向溝部１２を備えている。第１軸方向溝部１１Ａと第２軸方向溝部１１Ｂとは、本体４の裏面１３側で周方向溝部１２と略直角に交わっている。
【００１４】
第１軸方向溝部１１Ａと第２軸方向溝部１１Ｂの周方向の幅は、カバー２の内側から突出する隣り合う２つの突起１４、１４の根元の周方向における幅Ｗ１（図４参照）と同一またはそれよりも大きくされている。凸部９は、誘導溝８の内部において誘導溝８の底面から丸座１の径方向に突出する略直方体形状の壁部に設けられており、該壁部から裏面１３側に向かって突出している。凸部９は、その先端が周方向溝部１２の底面に向かって先細りとなる略四角錘形状とされている。凸部９は、２つの突起１４、１４の間に位置することにより、突起１４、１４を係止できればよく、その形状は該四角錐形状に限定されない。なお、凸部９は、本発明の保持部に相当する。
【００１５】
図４および図５に示すように、カバー２は、円筒部１８と、円筒部１８の一方の端を閉じる底面部１９とを備えている。円筒部１８の内面には、隣接して内方に突出する２つの半球状の突起１４、１４が設けられている。２つの突起１４、１４が設けられている位置から周方向に１８０度間隔を空けた円筒部１８の内面にも２つの突起１４、１４が設けられており、円筒部１８はその内面に４つの突起１４を備えている。円筒部１８の内径は、丸座１における本体４の外径よりもわずかに大きくされており、円筒部１８には、本体４を隙間なく嵌め入れることができる。カバー２の底面部１９は、その中心に円形の開口２０を備えている。開口２０の大きさは、本体４の挿通孔５と同一または挿通孔５よりも若干大きくされている。
【００１６】
カバー２は、扉３に取り付けられた後の丸座１に次のようにして取り付けられる。カバー２の２つの突起１４、１４を丸座１の係止部７における第１軸方向溝部１１Ａ又は第２軸方向溝部１１Ｂに合わせ、２つの突起１４、１４を第１軸方向溝部１１Ａ又は第２軸方向溝部１１Ｂに挿入してカバー２を丸座１に被せる。続いて、第１軸方向溝部１１Ａであればカバー２を右回りに、第２軸方向溝部１１Ｂであればカバー２を左回りに、２つの突起１４、１４が凸部９によって係止される位置まで回す。このとき、２つの突起１４、１４は周方向溝部１２内を円滑に移動する。隣接する２つの突起１４、１４の一方が凸部９に当接するとその回転は一旦妨げられるが、図６に示すように一方の突起１４が略四角錘形状の凸部９を乗り越えると、一方の突起１４と他方の突起１４との間に凸部９が位置し、隣り合う２つの突起１４、１４が凸部９により係止されることになる。
【００１７】
図２及び図３に示すように、略四角錘形状の凸部９は側壁２１、２１を備えている。一方の突起１４が周方向溝部１２内を移動する際、この側壁２１により突起１４の本体４軸心方向への自由度は制限されていくことになる。そして、２つの突起１４、１４が凸部９により係止された状態では、カバー２の本体４軸心方向の移動は阻止され、カバー２は丸座１と一体化される。
【００１８】
カバー２を丸座１から取り外すときは、カバー２を周方向のいずれかの方向に回動する。若干力を込めてカバー２を右又は左回りに回すことにより、隣接する突起１４、１４の一方が凸部９を乗り越えるようになる。そして、２つの突起１４、１４が第１軸方向溝部１１Ａ又は第２軸方向溝部１１Ｂに至るまでカバー２を回して丸座１から引く抜くことにより、簡単にカバー２を丸座１から取り外すことができる。
【００１９】
上述の実施形態１において、係止部７は２箇所に設けられていたが、係止部７の数は２つに限られず、３つ以上であってもよい。また、上述の実施形態１においては、隣接する２つの突起１４、１４に対応するように係止部が２つ設けられていたが、隣接する突起１４、１４が１８０度間隔で２箇所に設けられ、係止部７が９０度間隔で４つ設けられるようにしてもよい。係止部７は、カバー２が丸座１に被せられたときに、係止部７がその一部または全部に周方向において隣接する２つの突起１４、１４が重なるように配置されていればよい。
【００２０】
（実施形態２）
図７〜図１１は、実施形態２の丸座セットを示す。実施形態２では丸座１の誘導溝８と凸部９、カバー２の突起１４の構造が実施形態１と異なるほかは、実施形態１と同様に構成されているので、以下、異なる点のみを説明し、同一箇所には同一の符号を付してその詳細な説明を省略する。
【００２１】
図７〜図９に示すように、丸座１の係止部７は、誘導溝８と凹部２４とを備えている。誘導溝８は、丸座１が扉３に取り付けられたときに表側となる表面１０から裏側となる裏面１３に向かって本体４の軸心と平行に延びる第１軸方向溝部１１Ｃと第２軸方向溝部１１Ｄとを備えている。第１軸方向溝部１１Ｃと第２軸方向溝部１１Ｄは周方向に離間して設けられている。また、誘導溝８は、第１軸方向溝部１１Ｃと第２軸方向溝部１１Ｄとを連通させるように裏側端から周方向に延びた溝である周方向溝部２５を備えている。第１軸方向溝部１１Ｃと第２軸方向溝部１１Ｄとは、本体４の裏面１３側で周方向溝部２５と略直角に交わっている。なお、凹部２４は、本発明の保持部に相当する。
【００２２】
凹部２４は、誘導溝８の内部において誘導溝８の底面から丸座１の径方向に突出する壁部に形成されている。凹部２４は、誘導溝８の底面から離間して径方向に延びる略半円筒形状であり、壁部と一体に形成されている。詳細には、略半円筒形状の凹部は図８に示される孔部２６によって誘導溝８の底面から離間するようになる。孔部２６は、該壁部を弾性変形させるために形成されるものである。凹部２４は、カバー２の内側から突出する突起１４（図１０参照）を係止して保持することができればよく、形状は略半円筒形状に限定されない。
【００２３】
図１０に示すように、カバー２の円筒部１８の内面には、内方に突出する半球状の突起１４が設けられている。突起１４が設けられている位置から周方向に１８０度間隔を空けた円筒部１８の内面にも突起１４が設けられており、円筒部１８はその内面に２つの突起１４を備えている。
【００２４】
カバー２は、扉３に取り付けられた後の丸座１に次のようにして取り付けられる。カバー２の突起１４を丸座１の係止部７における第１軸方向溝部１１Ｃ又は第２軸方向溝部１１Ｄに合わせ、突起１４を第１軸方向溝部１１Ｃ又は第２軸方向溝部１１Ｄに挿入してカバー２を丸座１に被せる。続いて、第１軸方向溝部１１Ｃであればカバー２を右回りに、第２軸方向溝部１１Ｄであればカバー２を左回りに、突起１４が凹部２４によって係止される位置まで回す。このとき、突起１４は周方向溝部２５内を円滑に移動する。突起１４が略半円筒形状の凹部２４に入り込むことにより、突起１４は凹部２４により係止されることになる。
【００２５】
図８及び図９に示すように、壁部は傾斜面２３を備えている。突起１４が周方向溝部２５内を移動する際、この傾斜面２３により突起１４の本体４軸心方向への自由度は制限されていくことになる。そして、突起１４が凹部２４により係止された状態では、カバー２の本体４軸心方向の移動は阻止され、カバー２は丸座１と一体化される
【００２６】
カバー２を丸座１から取り外すときは、カバー２を周方向のいずれかの方向に回動する。若干力を込めてカバー２を右又は左回りに回すことにより、突起１４が凹部２４から抜け出るようになる。そして、突起１４が第１軸方向溝部１１Ｃ又は第２軸方向溝部１１Ｄに至るまでカバー２を回して丸座１から引く抜くことにより、簡単にカバー２を丸座１から取り外すことができる。
【００２７】
上述の実施形態２において、係止部７は２箇所に設けられていたが、係止部７の数は２つに限られず、３つ以上であってもよい。また、上述の実施形態２においては、突起１４の数に対応するようにて係止部が２つ設けられていたが、突起１４が１８０度間隔で２箇所に設けられ、係止部７が９０度間隔で４つ設けられるようにしてもよい。係止部７は、カバー２が丸座１に被せられたときに、係止部７がその一部または全部に周方向において突起１４が重なるように配置されていればよい。
【００２８】
以上、本発明の好適な実施形態について説明したが、本発明の技術的範囲は上述した実施形態に記載の範囲には限定されない。上述した実施形態には、多様な変更又は改良を加えることが可能である。
【符号の説明】
【００２９】
１   丸座、２   カバー、３  扉、４  本体、５  挿通孔、６  周面、７  係止部、８  誘導溝、９  凸部（保持部）、１０  表面、１１Ａ  第１軸方向溝部、１１Ｂ  第２軸方向溝部、１１Ｃ  第１軸方向溝部、１１Ｄ  第２軸方向溝部、１２  周方向溝部、１３  裏面、１４  突起、１８  円筒部、１９  底面部、２０  開口、２１  側壁、２３  傾斜面、２４  凹部（保持部）、２５  周方向溝部、２６  孔部、Ｗ１  幅
【図１】
2016037805.tif 000003
【図２】
2016037805.tif 000004
【図３】
2016037805.tif 000005
【図４】
2016037805.tif 000006
【図５】
2016037805.tif 000007
【図６】
2016037805.tif 000008
【図７】
2016037805.tif 000009
【図８】
2016037805.tif 000010
【図９】
2016037805.tif 000011
【図１０】
2016037805.tif 000012
【図１１】
2016037805.tif 000013